(57)【要約】【課題】飛灰などの粉粒体を下方から上方へ搬送する搬送機に関して、複数の搬送羽根ごとに粉粒体を所定量ずつ搬送することができる構造を実現する。【解決手段】粉粒体を搬送するための搬送溝１９を有するコンベアケース１０と、搬送溝９の長手方向にそれぞれ間隔をあけて配置され、かつ、搬送溝１９内を上流側から下流側に向けて移動する複数の搬送羽根２４とを備える。搬送溝１９は、下端部を上流側端部とし、かつ、上端部を下流側端部とした上昇部２０を有している。搬送羽根２４は、外周部に弾性材製のシール部２７を有するもので、シール部２７が、搬送溝１９の内面を構成する底面２８および幅方向両側の側面のそれぞれに摺接している。【選択図】図３
2019104613.tif 000002
【特許請求の範囲】
【請求項１】
粉粒体を搬送するための搬送溝を有するコンベアケースと、
前記搬送溝の長手方向にそれぞれ間隔をあけて配置され、かつ、前記搬送溝内を上流側から下流側に向けて移動する複数の搬送羽根と、を備え、
前記搬送溝は、下端部を上流側端部とし、かつ、上端部を下流側端部とした上昇部を有しており、
前記搬送羽根は、外周部に弾性材製のシール部を有するもので、前記シール部が、前記搬送溝の内面を構成する底面および幅方向両側の側面のそれぞれに摺接している、
搬送機。
【請求項２】
前記搬送羽根が、前記搬送溝の底面に対する遠位側の箇所から、該搬送羽根の移動方向の前方に向けて突出するように設けられた側板部を有している、
請求項１に記載の搬送機。
【発明の詳細な説明】
【技術分野】
【０００１】
本発明は、たとえば、ごみ焼却施設から排出される飛灰などの粉粒体の搬送機に関する。
【背景技術】
【０００２】
ごみ焼却施設から排出される飛灰には、鉛、カドミウムなどの有害金属が含まれているため、飛灰を埋立て処分する際には、有害金属を安定化させる処理をしなければならない。このような飛灰の処理方法の１つとして、飛灰に安定化剤であるキレート剤の水溶液を加えて混練し、飛灰中の有害金属とキレート剤とを反応させて、水に不溶性のキレート錯体を生成する方法がある。また、たとえば特開２０００−１１７２１９号公報には、飛灰とキレート剤水溶液とを混練するのに用いることができる混練機が記載されている。
【先行技術文献】
【特許文献】
【０００３】
【特許文献１】特開２０００−１１７２１９号公報
【発明の概要】
【発明が解決しようとする課題】
【０００４】
上述した飛灰の処理方法では、互いに混練すべき飛灰とキレート剤水溶液との配合比率が予め決まっている。このため、混練機への飛灰の供給は、所定の時間間隔で所定量ずつ行う必要がある。したがって、混練機を含む飛灰処理プラントも、この点を考慮した構成を採用する必要がある。
【０００５】
図８は、本発明者などが先に考えた、飛灰処理プラントの構成を示している。この飛灰処理プラントは、ごみ焼却施設から排出された飛灰を、一旦、大型飛灰貯槽１に貯留した後、この大型飛灰貯槽１に貯留した飛灰を、混練機６へ、所定の時間間隔で所定量ずつ供給するように構成されている。
【０００６】
ここで、大型飛灰貯槽１は、上端部に飛灰の入口を有し、下端部に飛灰の出口を有している。このため、大型飛灰貯槽１を混練機６の上方に配置すれば、大型飛灰貯槽１から混練機６への飛灰の供給を、搬送機などを介することなく、効率良く行うことができる。しかしながら、ごみ焼却施設は２４時間／１日の運転を行っており、飛灰処理プラントのトラブル発生時にも、ごみ焼却施設の継続運転を行えるようにする観点から、大型飛灰貯槽１の飛灰の最大貯留量は、ごみ焼却施設で発生する飛灰量の２日分以上に設定することが望まれる。このため、大型飛灰貯槽１は、通常、文字通り大型に構成されることから、たとえば、大型飛灰貯槽１を混練機６の上方に配置すると、架台および建屋が大きくなるという問題が発生する。
【０００７】
そこで、このような問題を避けるために、図８に示した飛灰処理プラントでは、大型飛灰貯槽１と混練機６とを水平方向にずらして配置している。そして、大型飛灰貯槽１から排出した飛灰を、搬送機３で上方に搬送した後、上方から混練機６に供給するようにしている。以下、この点について、より具体的に説明する。
【０００８】
搬送機３は、クランク形のコンベアケース８を備えており、このコンベアケース８の内部には、このコンベアケース８の長手方向に沿って、下部から上部に向かう図示しない往路と、上部から下部に向かう図示しない復路とが設けられている。また、搬送機３は、これらの往路と復路とを組み合わせた循環経路を循環移動する、図示しない複数の搬送羽根を備えている。これらの搬送羽根は、循環経路に沿って、所定の間隔をあけて配置されている。
【０００９】
飛灰処理プラントの運転時には、大型飛灰貯槽１に貯留されている飛灰を、大型飛灰貯槽１の下部に設置された第１の定量供給機２を用いて、搬送機３のコンベアケース８内の下部に、所定の時間間隔で所定量ずつ供給する。そして、この下部に供給された飛灰を、コンベアケース８内の往路を通じて、搬送羽根により、下部から上部へ搬送する。そして、この上部に搬送した飛灰を、この上部の下方に排出して、一旦、小型飛灰貯槽４に貯留する。そして、この小型飛灰貯槽４に貯留した飛灰を、小型飛灰貯槽４の下部に設置された第２の定量供給機５を用いて、混練機６へ、所定の時間間隔で所定量ずつ供給する。混練機６は、このように供給された所定量の飛灰と、別途供給された所定量のキレート剤水溶液とを混練し、その結果生成された混練物を下方に排出する。排出された混練物は、ベルトコンベア７に載せられ、図示しない一時保管場所などに搬送される。
【００１０】
なお、上述した搬送機３では、往路を囲むコンベアケース８の内面と搬送羽根の外周縁との間に、ほぼ全周に亙って隙間が存在している。このため、往路のうちで、下方から上方に向かう垂直部では、搬送羽根に載った飛灰が、搬送羽根に生じる振動により、前記隙間を通じて落下する。したがって、上述した搬送機３では、大型飛灰貯槽１に貯留されている飛灰を、第１の定量供給機２を用いて、コンベアケース８内の下部に、所定の時間間隔で所定量ずつ供給しても、複数の搬送羽根ごとに、飛灰を所定量ずつ搬送することができない。そこで、図８に示した飛灰処理プラントでは、搬送機３から排出した飛灰を、一旦、小型飛灰貯槽４に貯留した後、この小型飛灰貯槽４に貯留した飛灰を、第２の定量供給機５を用いて、混練機６へ、所定の時間間隔で所定量ずつ供給するようにしている。
【００１１】
しかしながら、図８に示した飛灰処理プラントにおいて、搬送機３により、複数の搬送羽根ごとに、飛灰を所定量ずつ搬送することができれば、これらの搬送羽根により搬送した飛灰を、混練機６へ、所定の時間間隔で所定量ずつ供給することができる。この結果、小型飛灰貯槽４および第２の定量供給機５の設置を省略して、飛灰処理プラントの小型化および低コスト化を図れる。
【００１２】
本発明は、上述のような事情に鑑みてなされたものであり、その目的は、飛灰などの粉粒体を下方から上方へ搬送する搬送機に関して、複数の搬送羽根ごとに粉粒体を所定量ずつ搬送することができる構造を実現することにある。
【課題を解決するための手段】
【００１３】
本発明の搬送機は、コンベアケースと、複数の搬送羽根とを備えている。
前記コンベアケースは、粉粒体を搬送するための搬送溝を有している。
前記複数の搬送羽根は、前記搬送溝の長手方向にそれぞれ間隔をあけて配置され、かつ、前記搬送溝内を上流側から下流側に向けて移動する。
また、前記搬送溝は、下端部を上流側端部とし、かつ、上端部を下流側端部とした上昇部を有している。
また、前記搬送羽根は、外周部に弾性材製のシール部を有するもので、前記シール部が、前記搬送溝の内面を構成する底面および幅方向両側の側面のそれぞれに摺接している。
【００１４】
本発明の搬送機では、前記搬送羽根が、前記搬送溝の内面を構成する底面に対する遠位側の箇所から、該搬送羽根の移動方向の前方に向けて突出するように設けられた側板部を有している構成を採用することができる。
【発明の効果】
【００１５】
本発明の搬送機によれば、複数の搬送羽根ごとに粉粒体を所定量ずつ搬送することができる。
【図面の簡単な説明】
【００１６】
【図１】図１は、実施の形態の第１例に係る搬送機の略側面図である。
【図２】図２は、図１のＡ部およびＢ部の拡大断面図である。
【図３】図３は、図１のＣ部の拡大断面図である。
【図４】図４は、実施の形態の第１例に係る搬送機に関して、搬送羽根が搬送溝の底面に沿って移動する状況を示す略側面図である。
【図５】図５は、実施の形態の第１例に係る搬送機の横断面図（たとえば、図２のＤ−Ｄ断面、および、図３のＥ−Ｅ断面に相当する図）である。
【図６】図６は、実施の形態の第２例に関する、図３の右半部に相当する図である。
【図７】図７は、実施の形態の第２例に関する、図４に相当する図である。
【図８】図８は、本発明者などが先に考えた飛灰処理プラントの構成を示す略図である。
【発明を実施するための形態】
【００１７】
［実施の形態の第１例］
実施の形態の第１例について、図１〜図５を用いて説明する。
【００１８】
＜搬送機９の構成＞
本例の搬送機９は、飛灰３１を搬送するのに用いられるもので、クランク形のコンベアケース１０を備えている。なお、以下の説明中、上流側および下流側は、本例の搬送機９による飛灰３１の搬送方向に関する上流側および下流側を意味する。
【００１９】
コンベアケース１０は、それぞれが水平方向に配設された下部水平部１１および上部水平部１２と、上下方向に配設された垂直部１３とを有している。そして、コンベアケース１０は、下部水平部１１の端部と垂直部１３の下端部とを、１／４円弧形の下部コーナー部１４を介して接続すると共に、上部水平部１２の端部と垂直部１３の上端部とを、１／４円弧形の上部コーナー部１５を介して接続することにより、全体をクランク形に構成されている。コンベアケース１０の上流側端部は、図１における下部水平部１１の左端部であり、コンベアケース１０の下流側端部は、図１における上部水平部１２の右端部である。
【００２０】
コンベアケース１０の内部には、コンベアケース１０の長手方向に沿って、上流側端部から下流側端部に向かう移動経路である往路１６と、下流側端部から上流側端部に向かう移動経路である復路１７とが設けられている。往路１６と復路１７とは、隔壁１８により隔てられているが、往路１６および復路１７のそれぞれの長手方向両端部同士は互いに連通している。すなわち、コンベアケース１０の内部には、往路１６と復路１７とを組み合わせた循環経路が設けられている。コンベアケース１０を構成する下部水平部１１および上部水平部１２において、往路１６は下方に位置しており、復路１７は上方に位置している。
【００２１】
往路１６および復路１７の横断面形状（長手方向に直交する断面形状）は、下部水平部１１、下部コーナー部１４、垂直部１３、上部コーナー部１５、および上部水平部１２のそれぞれにおいて共通しており、具体的には、図５に示すような形状になっている。
【００２２】
往路１６には、飛灰３１を搬送するための搬送溝１９が設けられている。搬送溝１９の内面の横断面形状は、コ字形である。搬送溝１９は、往路１６のうちで、隔壁１８に対する遠位側に位置しており、特に、下部水平部１１および上部水平部１２において、下方に位置している。また、搬送溝１９のうち、下部コーナー部１４、垂直部１３、および上部コーナー部１５に対応する部分は、下端部を上流側端部とし、かつ、上端部を下流側端部とした上昇部２０になっている。
【００２３】
また、コンベアケース１０のうちで、下部水平部１１の上流側端部（図１における左端部）の上部には、コンベアケース１０の外部から往路１６の搬送溝１９に飛灰３１を供給するための供給口２１が設けられている。また、コンベアケース１０のうちで、上部水平部１２の下流側端部（図１における右端部）の下部には、往路１６の搬送溝１９からコンベアケース１０の外部に飛灰３１を排出するための排出口２２が設けられている。
【００２４】
また、本例の搬送機９は、往路１６と復路１７とを組み合わせた循環経路を循環移動する、１対の走行チェーン２３を備えている。これらの走行チェーン２３は、コンベアケース１０の内部の上流側端部と下流側端部とのうち、何れか一方の端部に設けられた図示しない駆動スプロケットと、他方の端部に設けられた図示しない従動スプロケットとに掛け渡された、無端チェーンである。また、１対の走行チェーン２３は、往路１６および復路１７のそれぞれにおいて、隔壁１８に対する近位側の幅方向両側部に設けられたチェーン案内溝３２に沿って案内されている。この状態で、１対の走行チェーン２３は、前記駆動スプロケットを回転駆動することにより、前記循環経路を循環移動する。
【００２５】
また、本例の搬送機９は、１対の走行チェーン２３に取り付けられ、かつ、１対の走行チェーン２３と共に前記循環経路を循環移動する、複数の搬送羽根２４を備えている。これらの搬送羽根２４は、前記循環経路に沿って、所定の間隔をあけて配置されている。
【００２６】
搬送羽根２４は、１対の走行チェーン２３の長手方向に対して直角な矩形の基板部２５と、搬送羽根２４の移動方向に関して、基板部２５の前側面に重ねて固定された矩形の弾性板部２６とを有している。基板部２５は、金属などの剛性の高い材料で造られており、弾性板部２６は、ゴム、シリコンなどの弾性材により造られている。
【００２７】
また、本例では、搬送羽根２４が往路１６を移動する際には、搬送羽根２４の一部が、往路１６の搬送溝１９内を上流側から下流側に向けて移動する。このような搬送羽根２４の一部において、弾性板部２６の外周部は、基板部２５の外周部よりも外側（搬送溝１９の内面に向かう側）に張り出したシール部２７になっている。そして、搬送羽根２４の一部が搬送溝１９内を上流側から下流側に向けて移動する際には、搬送溝１９の長手方向の何れの箇所においても、シール部２７が、搬送溝１９の内面の全体、すなわち、搬送溝１９の内面を構成する底面２８および幅方向両側の側面２９のそれぞれに摺接するようになっている。これにより、搬送溝１９の長手方向の何れの箇所においても、搬送羽根２４の外周部と、搬送溝１９の内面の全体との間が、隙間なく塞がれるようになっている。一方、搬送羽根２４が復路１７を移動する際に、シール部２７は、復路１７を囲むコンベアケース１０の内面には摺接しないようになっている。
【００２８】
なお、本例では、１対の走行チェーン２３を係合させるスプロケットは、下部コーナー部１４および上部コーナー部１５には設けられていない。下部コーナー部１４および上部コーナー部１５において、１対の走行チェーン２３は、それぞれチェーン案内溝３２に沿って方向を変えるようになっている。そして、下部コーナー部１４および上部コーナー部１５においても、搬送溝１９の内面の全体に対するシール部２７の摺接状態が維持されるようになっている。
【００２９】
＜搬送機９の動作＞
本例の搬送機９を用いて、飛灰３１を搬送する際には、複数の搬送羽根２４を、往路１６と復路１７とを組み合わせた循環経路に沿って、所定の速度で循環移動させる。そして、この状態で、供給口２１を通じて、コンベアケース１０の外部から、往路１６の搬送溝１９内に飛灰３１を、所定の時間間隔で所定量ずつ供給する。そして、このように所定量ずつ供給された飛灰３１を、複数の搬送羽根２４ごとに、搬送溝１９の上流側から下流側に向けて搬送する。そして、複数の搬送羽根２４ごとに搬送溝１９の下流側端部まで搬送した飛灰３１を、排出口２２を通じて、順次、コンベアケース１０の外部に排出する。
【００３０】
ここで、本例の搬送機９では、前述したように、搬送羽根２４の一部が搬送溝１９内を上流側から下流側に向けて移動する際には、搬送溝１９の長手方向の何れの箇所においても、シール部２７が、搬送溝１９の内面の全体に摺接する。これにより、搬送溝１９の長手方向の何れの箇所においても、搬送羽根２４の外周部と、搬送溝１９の内面の全体との間が、隙間なく塞がれる。このため、搬送溝１９の長手方向の何れの箇所においても、複数の搬送羽根２４ごとに、飛灰３１を所定量ずつ搬送することができる。
【００３１】
たとえば、搬送溝１９の上昇部２０において、上昇部２０の内面と搬送羽根の外周部との間に隙間が存在する比較例の構造では、搬送羽根が上昇部２０に沿って上昇する際に、搬送羽根に載った飛灰が、搬送羽根に生じる振動により、前記隙間を通じて落下する。したがって、このような比較例の構造では、上昇部２０において、複数の搬送羽根ごとに、飛灰を所定量ずつ搬送することができない。
【００３２】
これに対して、本例の構造では、上昇部２０においても、上昇部２０の内面と搬送羽根２４の外周部との間に隙間が生じることはない。このため、搬送羽根２４が上昇部２０に沿って上昇する際に、搬送羽根２４に載った飛灰３１が、上昇部２０の内面と搬送羽根２４の外周部との間を通じて落下することを防止できる。したがって、本例の構造では、上昇部２０においても、複数の搬送羽根２４ごとに、飛灰３１を所定量ずつ搬送することができる。
【００３３】
以上のように、本例の搬送機９では、搬送溝１９の長手方向の何れの箇所においても、複数の搬送羽根２４ごとに、飛灰３１を所定量ずつ搬送することができる。このため、複数の搬送羽根２４ごとに搬送した飛灰３１を、排出口２２を通じて、所定の時間間隔（たとえば、１秒単位で）で所定量ずつ排出することができる。したがって、図８に示した飛灰処理プラントに、本例の搬送機９を適用すれば、この搬送機９から排出した飛灰３１を、混練機６へ直接、所定の時間間隔で所定量ずつ供給することができる。この結果、小型飛灰貯槽４および第２の定量供給機５の設置を省略して、飛灰処理プラントの小型化および低コスト化を図ることができる。
【００３４】
［実施の形態の第２例］
実施の形態の第２例について、図６および図７を用いて説明する。
【００３５】
本例では、搬送羽根２４ａが、搬送溝１９の底面２８に対する遠位側の箇所から、搬送羽根２４ａの移動方向の前方に向けて突出するように設けられた側板部３０を有している。このような本例の構造では、側板部３０の存在に基づいて、それぞれの搬送羽根２４ａによって搬送できる飛灰３１の量を、図６および図７に斜格子を付して示した分だけ、実施の形態の第１例の場合よりも多くすることができる。また、本例では、搬送溝１９の上昇部２０において、搬送羽根２４ａに載った飛灰３１の一部が、搬送溝１９の底面２８に対する遠位側から落下することを、側板部３０により防止することができる。なお、それぞれの搬送羽根２４ａによって搬送される飛灰３１の安息角αは、搬送経路のすべての箇所でほぼ一定となる。
その他の構成および作用は、実施の形態の第１例と同様である。
【００３６】
本発明の搬送機は、飛灰に限らず、各種の粉粒体を搬送するために用いることができる。
また、本発明を実施する場合、搬送羽根に対するシール部の設け方は、特に問わない。たとえば、金属などの剛性の高い材料製の基板部の外周部にのみ、シール部となる弾性材を固定することもできる。また、搬送羽根の全体をゴム、シリコンなどの弾性材製とし、外周部以外の部分の肉厚を大きくして剛性を確保すると共に、外周部の肉厚を薄くしてシール部の機能を持たせることもできる。
【符号の説明】
【００３７】
１  大型飛灰貯槽
２  第１の定量供給機
３  搬送機
４  小型飛灰貯槽
５  第２の定量供給機
６  混練機
７  ベルトコンベア
８  コンベアケース
９  搬送機
１０  コンベアケース
１１  下部水平部
１２  上部水平部
１３  垂直部
１４  下部コーナー部
１５  上部コーナー部
１６  往路
１７  復路
１８  隔壁
１９  搬送溝
２０  上昇部
２１  供給口
２２  排出口
２３  走行チェーン
２４、２４ａ  搬送羽根
２５  基板部
２６  弾性板部
２７  シール部
２８  底面
２９  側面
３０  側板部
３１  飛灰
３２  チェーン案内溝
【図１】
2019104613.tif 000003
【図２】
2019104613.tif 000004
【図３】
2019104613.tif 000005
【図４】
2019104613.tif 000006
【図５】
2019104613.tif 000007
【図６】
2019104613.tif 000008
【図７】
2019104613.tif 000009
【図８】
2019104613.tif 000010